(57)【要約】【課題】電源電圧の異常を監視する回路を素子数を削減して構成することができるプラズマディスプレイ装置を提供する。【解決手段】走査電極と維持電極とからなる表示電極対とデータ電極とを有する放電セルを複数備えたプラズマディスプレイパネルと、走査電極に走査パルス電圧を印加する走査電極駆動回路と、走査パルス電圧の発生を制御する制御回路とを備え、かつ走査電極駆動回路に用いる電源電圧Ｖａから監視電圧Ｖｋを作成して監視電圧Ｖｋがあらかじめ定めた電源電圧設定範囲にあるかどうかを検出する走査パルス電圧監視回路５３０と、制御回路に用いる電源電圧の元となる母電圧Ｖｍｏがあらかじめ定めた母電圧設定範囲にあるかどうかを検出し、母電圧Ｖｍｏが母電圧設定範囲から外れたときには監視電圧Ｖｋを強制的に電源電圧設定範囲外の電圧に変動させる母電圧監視回路５４０とを備える。【選択図】図８
2007233224.tif 000002
【特許請求の範囲】
【請求項１】
走査電極と維持電極とからなる表示電極対とデータ電極とを有する放電セルを複数備えたプラズマディスプレイパネルと、前記各電極に駆動パルス電圧を印加する駆動回路と、前記駆動パルス電圧の発生を制御する制御回路とを備え、
前記駆動回路に用いる電源電圧から監視電圧を作成して前記監視電圧があらかじめ定めた電源電圧設定範囲にあるかどうかを検出することで前記電源電圧が正常か異常を検出するとともに、前記制御回路に用いる電源電圧の元となる母電圧があらかじめ定めた母電圧設定範囲にあるかどうかを検出し、前記母電圧が前記母電圧設定範囲から外れたときには前記監視電圧を強制的に前記電源電圧設定範囲外の電圧に変動させるように構成した
ことを特徴とするプラズマディスプレイ装置。
【請求項２】
走査電極と維持電極とからなる表示電極対とデータ電極とを有する放電セルを複数備えたプラズマディスプレイパネルと、前記各電極に駆動パルス電圧を印加する駆動回路と、前記駆動パルス電圧の発生を制御する制御回路とを備え、
かつ前記駆動回路に用いる電源電圧から監視電圧を作成して前記監視電圧があらかじめ定めた電源電圧設定範囲にあるかどうかを検出することで前記電源電圧が正常か異常かを検出する電圧監視回路と、
前記制御回路に用いる電源電圧の元となる母電圧があらかじめ定めた母電圧設定範囲にあるかどうかを検出し、前記母電圧が前記母電圧設定範囲から外れたときには前記監視電圧を強制的に前記電源電圧設定範囲外の電圧に変動させる母電圧監視回路とを備えた
ことを特徴とするプラズマディスプレイ装置。
【請求項３】
前記放電セルで初期化放電を発生させる初期化期間と、前記放電セルで選択的に書込み放電を発生させる書込み期間と、輝度重みに応じた回数の維持パルスを印加して選択した放電セルで維持放電を発生させる維持期間とを有するサブフィールドを１フィールド期間内に複数設け、
前記駆動回路を、前記書込み期間において前記走査電極に走査パルス電圧を印加する走査パルス発生回路とし、
前記制御回路を、前記走査パルス電圧の発生を制御する制御回路とする
ことを特徴とする請求項２に記載のプラズマディスプレイ装置。
【発明の詳細な説明】
【技術分野】
【０００１】
本発明は、壁掛けテレビや大型モニターに用いられるプラズマディスプレイ装置に関する。
【背景技術】
【０００２】
プラズマディスプレイパネル（以下、「パネル」と略記する）として代表的な交流面放電型パネルは、対向配置された前面板と背面板との間に多数の放電セルが形成されている。前面板は、１対の走査電極と維持電極とからなる表示電極対が前面ガラス基板上に互いに平行に複数対形成され、それら表示電極対を覆うように誘電体層および保護層が形成されている。背面板は、背面ガラス基板上に複数の平行なデータ電極と、それらを覆うように誘電体層と、さらにその上にデータ電極と平行に複数の隔壁とがそれぞれ形成され、誘電体層の表面と隔壁の側面とに蛍光体層が形成されている。そして、表示電極対とデータ電極とが立体交差するように前面板と背面板とが対向配置されて密封され、内部の放電空間には、例えば分圧比で５％のキセノンを含む放電ガスが封入されている。ここで表示電極対とデータ電極との対向する部分に放電セルが形成される。このような構成のパネルにおいて、各放電セル内でガス放電により紫外線を発生させ、この紫外線で赤色（Ｒ）、緑色（Ｇ）および青色（Ｂ）の各色の蛍光体を励起発光させてカラー表示を行っている。
【０００３】
パネルを駆動する方法としてはサブフィールド法、すなわち、１フィールド期間を複数のサブフィールドに分割した上で、発光させるサブフィールドの組み合わせによって階調表示を行う方法が一般的である。各サブフィールドは、初期化期間、書込み期間および維持期間を有し、初期化期間では初期化放電を発生し、続く書込み動作に必要な壁電荷を各電極上に形成する。書込み期間では、表示を行うべき放電セルにおいて選択的に書込み放電を発生し壁電荷を形成する。そして維持期間では、走査電極と維持電極とからなる表示電極対に交互に維持パルスを印加し、書込み放電を起こした放電セルで維持放電を発生させ、対応する放電セルの蛍光体層を発光させることにより画像表示を行う。
【０００４】
このようなプラズマディスプレイ装置では、家庭用に供給されている交流電圧から直流電圧を発生させるための交流直流変換回路（以下、「ＡＣ／ＤＣコンバータ」と記す）、およびこの直流電圧を各駆動回路に必要な電圧に変換するための電圧変換回路（以下、「ＤＣ／ＤＣコンバータ」と記す）を有する電源回路を備えている。そして、各駆動回路では電源回路から供給される電圧を基準にして各駆動パルスを生成し、駆動回路を制御する制御回路では駆動パルスの発生を制御する制御信号を生成する。したがって、電源回路から供給される電圧が、例えば部品の故障、あるいはノイズの影響を受ける等して設定電圧の範囲から外れてしまうと、それに応じて各駆動パルスの電圧の変動や、各駆動パルスの発生を制御する制御信号が不安定になる等の不具合が発生してしまう。そして、各駆動パルスの発生を制御する制御信号が不安定になってしまった場合には、放電セルにおいて放電すべきときに放電が発生しない、あるいは放電すべきでないときに放電が発生するといった誤放電を引き起こす恐れがある。
【０００５】
そこで、電源回路から制御回路に供給される電圧が設定電圧の範囲にあるかどうかを監視し、電圧の異常を検出した場合には制御信号の生成を停止する技術が開示されている（例えば、特許文献１参照）。
【特許文献１】特開２００４−３１７６１０号公報
【発明の開示】
【発明が解決しようとする課題】
【０００６】
通常、プラズマディスプレイ装置では、家庭用の交流電圧から大元となる直流電圧を一旦発生させ、その大元の直流電圧から各駆動回路および制御回路に供給するための互いに電圧値が異なる複数の電圧を生成している。したがって、それら複数の電圧がそれぞれ設定電圧の範囲にあるかどうかを監視するために、各回路に供給される電圧がそれぞれ設定電圧の範囲にあるかどうかを検出するための回路を、それら複数の電圧の数に応じた数だけ設けなければならなかった。
【０００７】
本発明はこれらの課題に鑑みなされたものであり、電源電圧の異常を監視する回路を素子数を削減して構成することができるプラズマディスプレイ装置を提供することを目的とする。
【課題を解決するための手段】
【０００８】
本発明のプラズマディスプレイ装置は、走査電極と維持電極とからなる表示電極対とデータ電極とを有する放電セルを複数備えたパネルと、各電極に駆動パルス電圧を印加する駆動回路と、駆動パルス電圧の発生を制御する制御回路とを備え、駆動回路に用いる電源電圧から監視電圧を作成して監視電圧があらかじめ定めた電源電圧設定範囲にあるかどうかを検出することで電源電圧が正常か異常を検出するとともに、制御回路に用いる電源電圧の元となる母電圧があらかじめ定めた母電圧設定範囲にあるかどうかを検出し、母電圧が母電圧設定範囲から外れたときには監視電圧を強制的に電源電圧設定範囲外の電圧に変動させるように構成したことを特徴とする。これにより、電源電圧の異常を監視する回路を素子数を削減して構成することが可能となる。
【０００９】
また、本発明のプラズマディスプレイ装置は、走査電極と維持電極とからなる表示電極対とデータ電極とを有する放電セルを複数備えたパネルと、各電極に駆動パルス電圧を印加する駆動回路と、駆動パルス電圧の発生を制御する制御回路とを備え、駆動回路に用いる電源電圧から監視電圧を作成して監視電圧があらかじめ定めた電源電圧設定範囲にあるかどうかを検出することで電源電圧が正常か異常かを検出する電圧監視回路と、制御回路に用いる電源電圧の元となる母電圧があらかじめ定めた母電圧設定範囲にあるかどうかを検出し、母電圧が母電圧設定範囲から外れたときには監視電圧を強制的に電源電圧設定範囲外の電圧に変動させる母電圧監視回路とを備えたことを特徴とする。これにより、電源電圧の異常を監視する回路を素子数を削減して構成することが可能となる。
【００１０】
また、本発明のプラズマディスプレイ装置では、放電セルで初期化放電を発生させる初期化期間と、放電セルで選択的に書込み放電を発生させる書込み期間と、輝度重みに応じた回数の維持パルスを印加して選択した放電セルで維持放電を発生させる維持期間とを有するサブフィールドを１フィールド期間内に複数設け、上記の駆動回路を、書込み期間において走査電極に走査パルス電圧を印加する走査パルス発生回路とし、上記の制御回路を、走査パルス電圧の発生を制御する制御回路とすることが望ましい。
【発明の効果】
【００１１】
本発明によれば、電源電圧の異常を監視する回路を素子数を削減して構成することができるプラズマディスプレイ装置を提供することが可能となる。
【発明を実施するための最良の形態】
【００１２】
以下、本発明の実施の形態におけるプラズマディスプレイ装置について、図面を用いて説明する。
【００１３】
（実施の形態１）
図１は、本発明の実施の形態１におけるパネル１０の構造を示す分解斜視図である。ガラス製の前面板２１上には、走査電極２２と維持電極２３とからなる表示電極対２８が複数形成されている。そして走査電極２２と維持電極２３とを覆うように誘電体層２４が形成され、その誘電体層２４上に保護層２５が形成されている。背面板３１上にはデータ電極３２が複数形成され、データ電極３２を覆うように誘電体層３３が形成され、さらにその上に井桁状の隔壁３４が形成されている。そして、隔壁３４の側面および誘電体層３３上には赤色（Ｒ）、緑色（Ｇ）および青色（Ｂ）の各色に発光する蛍光体層３５が設けられている。
【００１４】
これら前面板２１と背面板３１とは、微小な放電空間を挟んで表示電極対２８とデータ電極３２とが交差するように対向配置され、その外周部をガラスフリット等の封着材によって封着されている。そして放電空間には、例えばネオンとキセノンの混合ガスが放電ガスとして封入されている。本実施の形態においては、輝度向上のためにキセノン分圧を１０％とした放電ガスが用いられている。放電空間は隔壁３４によって複数の区画に仕切られており、表示電極対２８とデータ電極３２とが交差する部分に放電セルが形成されている。そしてこれらの放電セルが放電、発光することにより画像が表示される。
【００１５】
なお、パネルの構造は上述したものに限られるわけではなく、例えばストライプ状の隔壁を備えたものであってもよい。
【００１６】
図２は、本発明の実施の形態１におけるパネル１０の電極配列図である。パネル１０には、行方向に長いｎ本の走査電極ＳＣ１〜ＳＣｎ（図１の走査電極２２）およびｎ本の維持電極ＳＵ１〜ＳＵｎ（図１の維持電極２３）が配列され、列方向に長いｍ本のデータ電極Ｄ１〜Ｄｍ（図１のデータ電極３２）が配列されている。そして、１対の走査電極ＳＣｉ（ｉ＝１〜ｎ）および維持電極ＳＵｉ（ｉ＝１〜ｎ）と１つのデータ電極Ｄｊ（ｊ＝１〜ｍ）とが交差した部分に放電セルが形成され、放電セルは放電空間内にｍ×ｎ個形成されている。なお、図１、図２に示したように、走査電極ＳＣｉと維持電極ＳＵｉとは互いに平行に対をなして形成されているために、走査電極ＳＣ１〜ＳＣｎと維持電極ＳＵ１〜ＳＵｎとの間に大きな電極間容量Ｃｐが存在する。
【００１７】
図３は、本発明の実施の形態１におけるプラズマディスプレイ装置１の回路ブロック図である。プラズマディスプレイ装置１は、パネル１０、画像信号処理回路５１、データ電極駆動回路５２、走査電極駆動回路５３、維持電極駆動回路５４、タイミング発生回路５５および各回路ブロックに必要な電源を供給する電源回路５００を備えている。
【００１８】
画像信号処理回路５１は、入力された画像信号ｓｉｇをサブフィールド毎の発光・非発光を示す画像データに変換する。データ電極駆動回路５２はサブフィールド毎の画像データを各データ電極Ｄ１〜Ｄｍに対応する信号に変換し各データ電極Ｄ１〜Ｄｍを駆動する。
【００１９】
タイミング発生回路５５は、水平同期信号Ｈ、垂直同期信号Ｖをもとにして各回路ブロックの動作を制御する各種のタイミング信号を発生し、それぞれの回路ブロックへ供給する。また、内部にタイミング信号の生成を制御するために用いる制御マイコン（図示せず）を有する。走査電極駆動回路５３は、維持期間において走査電極ＳＣ１〜ＳＣｎに印加する維持パルスを発生するための維持パルス発生回路１００を有し、タイミング信号にもとづいて各走査電極ＳＣ１〜ＳＣｎをそれぞれ駆動する。維持電極駆動回路５４は、初期化期間において維持電極ＳＵ１〜ＳＵｎに電圧Ｖｅ１を印加する回路と、維持期間において維持電極ＳＵ１〜ＳＵｎに印加する維持パルスを発生するための維持パルス発生回路２００とを有し、タイミング信号にもとづいて維持電極ＳＵ１〜ＳＵｎを駆動する。
【００２０】
電源回路５００は、ＡＣ／ＤＣコンバータ５１０と、各駆動回路用の電圧を生成するＤＣ／ＤＣコンバータ５１１〜５１４と、制御回路用の電圧を生成するＤＣ／ＤＣコンバータ５１６と、ＤＣ／ＤＣコンバータ５１６等に電圧を供給するＤＣ／ＤＣコンバータ５１５と、各ＤＣ／ＤＣコンバータで生成された電圧があらかじめ定められた設定範囲内にあるかどうかを監視する電圧監視回路５２０とを備え、家庭用の交流電圧から各駆動回路および各制御回路に供給するための直流電圧を生成する。
【００２１】
ＡＣ／ＤＣコンバータ５１０は、家庭用の交流電圧から大元の直流電圧Ｖｍを生成し、各ＤＣ／ＤＣコンバータに供給する。ＤＣ／ＤＣコンバータ５１１は、大元の直流電圧Ｖｍから電圧Ｖｄを生成し、データ電極駆動回路５２に供給する。ＤＣ／ＤＣコンバータ５１２は、大元の直流電圧Ｖｍから電圧Ｖｓを生成し、走査電極駆動回路５３の維持パルス発生回路１００および維持電極駆動回路５４の維持パルス発生回路２００に供給する。ＤＣ／ＤＣコンバータ５１３は、大元の直流電圧Ｖｍから負の電圧Ｖａを生成し、走査電極駆動回路５３に供給する。ＤＣ／ＤＣコンバータ５１４は、大元の直流電圧Ｖｍから電圧Ｖｒを生成し、走査電極駆動回路５３に供給する。ＤＣ／ＤＣコンバータ５１５は、大元の直流電圧Ｖｍから母電圧Ｖｍｏを生成する。この母電圧Ｖｍｏは、各制御回路に電圧を供給するＤＣ／ＤＣコンバータ５１６等に供給される。ＤＣ／ＤＣコンバータ５１６は、母電圧Ｖｍｏから電圧Ｖｚを生成し、走査電極駆動回路５３内部に備えられた制御回路に供給する。なお、図示はしていないが、ＤＣ／ＤＣコンバータ５１６以外にも、他の制御回路に供給するための電圧を生成するＤＣ／ＤＣコンバータが複数備えられている。
【００２２】
電圧監視回路５２０は、各ＤＣ／ＤＣコンバータで生成された電圧があらかじめ定められた設定範囲内にあるかどうかを監視し、設定範囲外の異常電圧を検出した場合には、異常を知らせる信号（本実施の形態では「０」）をタイミング発生回路５５内部の制御マイコンに出力する。そして、この制御マイコンは、電圧監視回路５２０からの異常を知らせる信号「０」を受けた場合には、タイミング信号の生成を停止させる等してプラズマディスプレイ装置の動作を停止させる。なお、この電圧監視回路５２０の詳細については後述する。
【００２３】
次に、パネル１０を駆動するための駆動電圧波形とその動作について説明する。プラズマディスプレイ装置１は、サブフィールド法、すなわち１フィールド期間を複数のサブフィールドに分割し、サブフィールド毎に各放電セルの発光・非発光を制御することによって階調表示を行う。それぞれのサブフィールドは初期化期間、書込み期間および維持期間を有する。初期化期間では初期化放電を発生し、続く書込み放電に必要な壁電荷を各電極上に形成する。このときの初期化動作には、全ての放電セルで初期化放電を発生させる初期化動作（以下、「全セル初期化動作」と略記する）と、維持放電を行った放電セルで初期化放電を発生させる初期化動作（以下、「選択初期化動作」と略記する）とがある。書込み期間では、発光させるべき放電セルで選択的に書込み放電を発生し壁電荷を形成する。そして維持期間では、輝度重みに比例した数の維持パルスを表示電極対に交互に印加して、書込み放電を発生した放電セルで維持放電を発生させて発光させる。
【００２４】
図４は、本発明の実施の形態１におけるパネル１０の各電極に印加する駆動電圧波形図である。図４には、全セル初期化動作を行うサブフィールドと選択初期化動作を行うサブフィールドとを示している。
【００２５】
まず、全セル初期化動作を行うサブフィールドについて説明する。
【００２６】
初期化期間前半部では、データ電極Ｄ１〜Ｄｍ、維持電極ＳＵ１〜ＳＵｎにそれぞれ０（Ｖ）を印加し、走査電極ＳＣ１〜ＳＣｎには、維持電極ＳＵ１〜ＳＵｎに対して放電開始電圧以下の電圧Ｖｉ１から、放電開始電圧を超える電圧Ｖｉ２に向かって緩やかに上昇する傾斜波形電圧を印加する。この傾斜波形電圧が上昇する間に、走査電極ＳＣ１〜ＳＣｎと維持電極ＳＵ１〜ＳＵｎ、データ電極Ｄ１〜Ｄｍとの間でそれぞれ微弱な初期化放電が起こる。そして、走査電極ＳＣ１〜ＳＣｎ上部に負の壁電圧が蓄積されるとともに、データ電極Ｄ１〜Ｄｍ上部および維持電極ＳＵ１〜ＳＵｎ上部には正の壁電圧が蓄積される。ここで、電極上部の壁電圧とは電極を覆う誘電体層上、保護層上、蛍光体層上等に蓄積された壁電荷により生じる電圧を表す。
【００２７】
初期化期間後半部では、維持電極ＳＵ１〜ＳＵｎに正の電圧Ｖｅ１を印加し、走査電極ＳＣ１〜ＳＣｎには、維持電極ＳＵ１〜ＳＵｎに対して放電開始電圧以下となる電圧Ｖｉ３から放電開始電圧を超える電圧Ｖｉ４に向かって緩やかに下降する傾斜波形電圧（以下、「ランプ電圧」とも記す）を印加する。この間に、走査電極ＳＣ１〜ＳＣｎと維持電極ＳＵ１〜ＳＵｎ、データ電極Ｄ１〜Ｄｍとの間でそれぞれ微弱な初期化放電が起こる。そして、走査電極ＳＣ１〜ＳＣｎ上部の負の壁電圧および維持電極ＳＵ１〜ＳＵｎ上部の正の壁電圧が弱められ、データ電極Ｄ１〜Ｄｍ上部の正の壁電圧は書込み動作に適した値に調整される。以上により、全ての放電セルに対して初期化放電を行う全セル初期化動作が終了する。
【００２８】
続く書込み期間では、維持電極ＳＵ１〜ＳＵｎに電圧Ｖｅ２を、走査電極ＳＣ１〜ＳＣｎに電圧Ｖｃを印加する。
【００２９】
次に、１行目の走査電極ＳＣ１に負の走査パルス電圧Ｖａを印加するとともに、データ電極Ｄ１〜Ｄｍのうち１行目に発光させるべき放電セルのデータ電極Ｄｋ（ｋ＝１〜ｍ）に正の書込みパルス電圧Ｖｄを印加する。このときデータ電極Ｄｋ上と走査電極ＳＣ１上との交差部の電圧差は、外部印加電圧の差（Ｖｄ−Ｖａ）にデータ電極Ｄｋ上の壁電圧と走査電極ＳＣ１上の壁電圧の差とが加算されたものとなり放電開始電圧を超える。そして、データ電極Ｄｋと走査電極ＳＣ１との間および維持電極ＳＵ１と走査電極ＳＣ１との間に書込み放電が起こり、走査電極ＳＣ１上に正の壁電圧が蓄積され、維持電極ＳＵ１上に負の壁電圧が蓄積され、データ電極Ｄｋ上にも負の壁電圧が蓄積される。
【００３０】
このようにして、１行目に発光させるべき放電セルで書込み放電を起こして各電極上に壁電圧を蓄積する書込み動作が行われる。一方、書込みパルス電圧Ｖｄを印加しなかったデータ電極Ｄ１〜Ｄｍと走査電極ＳＣ１との交差部の電圧は放電開始電圧を超えないので、書込み放電は発生しない。以上の書込み動作を走査電極ＳＣｎのｎ行目の放電セルに至るまで行い、書込み期間が終了する。
【００３１】
続く維持期間では、消費電力を削減するために電力回収回路を用いて駆動を行っている。まず走査電極ＳＣ１〜ＳＣｎに正の維持パルス電圧Ｖｓを印加するとともに維持電極ＳＵ１〜ＳＵｎに０（Ｖ）を印加する。すると書込み放電を起こした放電セルでは、走査電極ＳＣｉ上と維持電極ＳＵｉ上との電圧差が維持パルス電圧Ｖｓに走査電極ＳＣｉ上の壁電圧と維持電極ＳＵｉ上の壁電圧との差が加算されたものとなり放電開始電圧を超える。そして、走査電極ＳＣｉと維持電極ＳＵｉとの間に維持放電が起こり、このとき発生した紫外線により蛍光体層３５が発光する。そして走査電極ＳＣｉ上に負の壁電圧が蓄積され、維持電極ＳＵｉ上に正の壁電圧が蓄積される。さらにデータ電極Ｄｋ上にも正の壁電圧が蓄積される。書込み期間において書込み放電が起きなかった放電セルでは維持放電は発生せず、初期化期間の終了時における壁電圧が保たれる。
【００３２】
続いて、走査電極ＳＣ１〜ＳＣｎには０（Ｖ）を、維持電極ＳＵ１〜ＳＵｎには維持パルス電圧Ｖｓをそれぞれ印加する。すると、維持放電を起こした放電セルでは、維持電極ＳＵｉ上と走査電極ＳＣｉ上との電圧差が放電開始電圧を超えるので再び維持電極ＳＵｉと走査電極ＳＣｉとの間に維持放電が起こり、維持電極ＳＵｉ上に負の壁電圧が蓄積され走査電極ＳＣｉ上に正の壁電圧が蓄積される。以降同様に、走査電極ＳＣ１〜ＳＣｎと維持電極ＳＵ１〜ＳＵｎとに交互に輝度重みに輝度倍率を乗じた数の維持パルスを印加し、表示電極対の電極間に電位差を与えることにより、書込み期間において書込み放電を起こした放電セルで維持放電が継続して行われる。
【００３３】
そして、維持期間の最後には走査電極ＳＣ１〜ＳＣｎと維持電極ＳＵ１〜ＳＵｎとの間にいわゆる細幅パルス状の電圧差を与えて、データ電極Ｄｋ上の正の壁電圧を残したまま、走査電極ＳＣｉおよび維持電極ＳＵｉ上の壁電圧を消去している。具体的には、維持電極ＳＵ１〜ＳＵｎを一旦０（Ｖ）に戻した後、走査電極ＳＣ１〜ＳＣｎに維持パルス電圧Ｖｓを印加する。すると、維持放電を起こした放電セルの維持電極ＳＵｉと走査電極ＳＣｉとの間で維持放電が起こる。そしてこの放電が収束する前、すなわち放電で発生した荷電粒子が放電空間内に十分残留している間に維持電極ＳＵ１〜ＳＵｎに電圧Ｖｅ１を印加する。これにより維持電極ＳＵｉと走査電極ＳＣｉとの間の電圧差が（Ｖｓ−Ｖｅ１）の程度まで弱まる。すると、データ電極Ｄｋ上の正の壁電荷を残したまま、走査電極ＳＣ１〜ＳＣｎ上と維持電極ＳＵ１〜ＳＵｎ上との間の壁電圧はそれぞれの電極に印加した電圧の差（Ｖｓ−Ｖｅ１）の程度まで弱められる。以下、この放電を「消去放電」と呼ぶ。
【００３４】
このように、最後の維持放電、すなわち消去放電を発生させるための電圧Ｖｓを走査電極ＳＣ１〜ＳＣｎに印加した後、所定の時間間隔（以下、「消去位相差Ｔｈ１」と呼称する）の後、表示電極対の電極間の電位差を緩和するための電圧Ｖｅ１を維持電極ＳＵ１〜ＳＵｎに印加する。こうして維持期間における維持動作が終了する。
【００３５】
次に、選択初期化動作を行うサブフィールドの動作について説明する。
【００３６】
選択初期化動作を行う初期化期間では、維持電極ＳＵ１〜ＳＵｎに電圧Ｖｅ１を、データ電極Ｄ１〜Ｄｍに０（Ｖ）をそれぞれ印加し、走査電極ＳＣ１〜ＳＣｎに電圧Ｖｉ３’から電圧Ｖｉ４に向かって緩やかに下降するランプ電圧を印加する。すると前のサブフィールドの維持期間で維持放電を起こした放電セルでは微弱な初期化放電が発生し、走査電極ＳＣｉ上および維持電極ＳＵｉ上の壁電圧が弱められる。またデータ電極Ｄｋに対しては、直前の維持放電によってデータ電極Ｄｋ上に十分な正の壁電圧が蓄積されているので、この壁電圧の過剰な部分が放電され、書込み動作に適した壁電圧に調整される。一方、前のサブフィールドで維持放電を起こさなかった放電セルについては放電することはなく、前のサブフィールドの初期化期間終了時における壁電荷がそのまま保たれる。このように選択初期化動作は、直前のサブフィールドの維持期間で維持動作を行った放電セルに対して選択的に初期化放電を行う動作である。
【００３７】
続く書込み期間の動作は全セル初期化動作を行うサブフィールドの書込み期間の動作と同様であるため説明を省略する。続く維持期間の動作も維持パルスの数を除いて同様である。
【００３８】
次に、サブフィールド構成について説明する。図５は、本発明の実施の形態１におけるサブフィールド構成を示す図である。図５はサブフィールド法における１フィールド間の駆動波形を略式に記したもので、それぞれのサブフィールドの駆動波形は図４の駆動波形と同等なものである。
【００３９】
本実施の形態においては、１フィールドを１０のサブフィールド（第１ＳＦ、第２ＳＦ、・・・、第１０ＳＦ）に分割し、各サブフィールドはそれぞれ、例えば（１、２、３、６、１１、１８、３０、４４、６０、８０）の輝度重みを持つ。
【００４０】
また各サブフィールドの維持期間においては、それぞれのサブフィールドの輝度重みに所定の輝度倍率を乗じた数の維持パルスが表示電極対のそれぞれに印加される。
【００４１】
そして、本実施の形態では、第１ＳＦの初期化期間では全セル初期化動作を行い、第２ＳＦ〜第１０ＳＦの初期化期間では選択初期化動作を行うものとする。
【００４２】
しかし、本発明はサブフィールド数や各サブフィールドの輝度重みが上記の値に限定されるものではない。また、画像信号等にもとづいてサブフィールド構成を切換える構成であってもよい。
【００４３】
次に、走査電極駆動回路５３の詳細とその動作について説明する。図６は、本発明の実施の形態１における走査電極駆動回路５３の回路図である。走査電極駆動回路５３は、維持パルスを発生させる維持パルス発生回路１００、初期化波形を発生させる初期化波形発生回路３００、走査パルスを発生させる走査パルス発生回路４００を備えている。
【００４４】
維持パルス発生回路１００は、走査電極２２を駆動するときの電力を回収して再利用するための電力回収回路１１０と、走査電極２２を電源回路５００から供給される電圧Ｖｓにクランプするためのスイッチング素子ＳＷ１と、走査電極２２を０（Ｖ）にクランプするためのスイッチング素子ＳＷ２とを有し、維持パルス電圧Ｖｓを発生させる。
【００４５】
初期化波形発生回路３００は、ミラー積分回路３１０、３２０を備え、上述した初期化波形を発生させる。ミラー積分回路３１０は、ＦＥＴ１とコンデンサＣ１と抵抗Ｒ１とを有し、電源回路５００から供給される電圧Ｖｒに依存した電圧Ｖｉ２までランプ状に緩やかに上昇する傾斜波形電圧を発生する。ミラー積分回路３２０は、ＦＥＴ２とコンデンサＣ２と抵抗Ｒ２とを有し、電源回路５００から供給される負の電圧Ｖａに依存した電圧Ｖｉ４までランプ状に緩やかに低下する傾斜波形電圧を発生する。なお、図６には、ミラー積分回路３１０、３２０のそれぞれの入力端子を入力端子ＩＮ１、入力端子ＩＮ２として示している。
【００４６】
なお、本実施の形態では、初期化波形発生回路３００として実用的であり比較的構成が簡単なＦＥＴを用いたミラー積分回路を採用しているが、何らこの構成に限定されるものではなく、傾斜波形電圧を発生することができる回路であればどのような回路であってもよい。
【００４７】
走査パルス発生回路４００は、スイッチング素子Ｓ３１、Ｓ３２と、ＳｃａｎＩＣと、制御回路４０１とを備え、主通電ライン（維持パルス発生回路１００、初期化波形発生回路３００、走査パルス発生回路４００が共通して接続された通電ライン）に印加された電圧と、主通電ラインの電圧に電圧Ｖｓｃｎを重畳した電圧とのいずれか一方を選択して走査電極２２に印加する。例えば、書込み期間では、主通電ラインの電圧を電源回路５００から供給される負の電圧Ｖａに維持し、ＳｃａｎＩＣに入力される負の電圧Ｖａと、負の電圧Ｖａに電圧Ｖｓｃｎを重畳した電圧Ｖｃとを切換えて出力することで、上述した負の走査パルス電圧Ｖａを発生させる。
【００４８】
なお、走査パルス発生回路４００は、初期化期間では初期化波形発生回路３００の電圧波形を、維持期間では維持パルス発生回路１００の電圧波形をそのまま出力する。また、上述したスイッチング素子Ｓ３１、Ｓ３２およびＳｃａｎＩＣはスイッチング動作を行う一般に知られたＭＯＳＦＥＴ等の素子からなり、タイミング発生回路５５から出力されるタイミング信号によって制御される制御回路４０１からの制御信号にもとづき切換えが制御される。また、この制御回路４０１は電源回路５００から供給される電圧Ｖｚを電源として動作する。
【００４９】
なお、図示はしていないが、維持パルス発生回路２００は維持パルス発生回路１００と同様の構成であり、維持電極２３を駆動するときの電力を回収して再利用するための電力回収回路と、維持電極２３を電源回路５００から供給される電圧Ｖｓにクランプするためのスイッチング素子と、維持電極２３を０（Ｖ）にクランプするためのスイッチング素子とを有し、維持パルス電圧Ｖｓを発生させる。
【００５０】
図７は、本発明の実施の形態１におけるデータ電極駆動回路５２の回路図である。データ電極駆動回路５２は、スイッチング素子Ｑ１Ｄ１〜Ｑ１Ｄｍおよびスイッチング素子Ｑ２Ｄ１〜Ｑ２Ｄｍを有している。そして、スイッチング素子Ｑ１Ｄ１〜Ｑ１Ｄｍを介して各データ電極３２をそれぞれ独立して電源回路５００から供給される電圧Ｖｄにクランプする。また、スイッチング素子Ｑ２Ｄ１〜Ｑ２Ｄｍを介して各データ電極３２をそれぞれ独立して接地し、０（Ｖ）にクランプする。このようにしてデータ電極駆動回路５２はデータ電極３２をそれぞれ独立に駆動し、データ電極３２に正の書込みパルス電圧Ｖｄを印加する。
【００５１】
次に、電圧監視回路５２０の詳細について説明する。図８は、本発明の実施の形態１における電圧監視回路５２０の回路図である。電圧監視回路５２０は、走査パルス電圧監視回路５３０および母電圧監視回路５４０を備えており、電圧Ｖａおよび母電圧Ｖｍｏがあらかじめ定められた設定範囲内にあるかどうかを監視する。なお、電圧監視回路５２０は、走査パルス電圧監視回路５３０以外に、データ電極駆動回路５２に供給される電圧Ｖｄを監視する電圧監視回路（図示せず）、維持パルス発生回路１００、２００に供給される電圧Ｖｓを監視する電圧監視回路（図示せず）、走査電極駆動回路５３に供給される電圧Ｖｒを監視する電圧監視回路（図示せず）等を備えているが、これらの電圧監視回路の基本的な構成は走査パルス電圧監視回路５３０と同様であるため説明を省略する。
【００５２】
走査パルス電圧監視回路５３０は、抵抗Ｒ１１、Ｒ１２、Ｒ１３、Ｒ１４と、ツェナーダイオードＤ１１と、比較器ＣＰ１１、ＣＰ１２とを備える。抵抗Ｒ１１と抵抗Ｒ１２とは負の電圧Ｖａと接地電位との間に、接地電位側を抵抗Ｒ１１、負の電圧Ｖａ側を抵抗Ｒ１２にして直列に接続され、負の電圧Ｖａを抵抗分割して監視電圧Ｖｋを生成する。
【００５３】
ツェナーダイオードＤ１１と抵抗Ｒ１３と抵抗Ｒ１４とは負の電圧Ｖａと正の定電圧Ｖｎとの間に、負の電圧ＶａにツェナーダイオードＤ１１のアノードが、電圧Ｖｎに抵抗Ｒ１４がそれぞれ接続され、かつ抵抗Ｒ１４とツェナーダイオードＤ１１との間に抵抗Ｒ１４を挟んで直列となるように接続される。したがって、抵抗Ｒ１３と接続されるツェナーダイオードＤ１１のカソードは負の電圧Ｖａよりもツェナー電圧分だけ高い電圧になっている。そして、本実施の形態ではこの電圧をＶｔｈ１とし、電圧ＶｎとＶｔｈ１とを抵抗Ｒ１３と抵抗Ｒ１４とで抵抗分割した電圧をＶｔｈ２とする。
【００５４】
比較器ＣＰ１１、ＣＰ１２は入力端子Ａと入力端子Ｂとを有し、入力端子Ａに入力される電圧と入力端子Ｂに入力される電圧とを比較して、入力端子Ａに入力される電圧の方が高いときには「１」を、それ以外では「０」を出力する。そして、比較器ＣＰ１１は、監視電圧ＶｋとＶｔｈ２との大小を比較するために、入力端子ＡにＶｔｈ２が、入力端子Ｂに監視電圧Ｖｋが入力され、監視電圧ＶｋがＶｔｈ２以上になったときに「０」を出力する。また、比較器ＣＰ１２は、監視電圧ＶｋとＶｔｈ１との大小を比較するために、入力端子Ａに監視電圧Ｖｋが、入力端子ＢにＶｔｈ１が入力され、監視電圧ＶｋがＶｔｈ１以下になったときに「０」を出力する。したがって、Ｖｔｈ１は監視電圧Ｖｋの下限として、Ｖｔｈ２は監視電圧Ｖｋの上限としてはたらく。そして、監視電圧Ｖｋが上限と下限との間、つまりＶｔｈ１とＶｔｈ２との間にあるときにのみ比較器ＣＰ１１、ＣＰ１２からはともに「１」が出力され、それ以外、すなわち監視電圧Ｖｋが上限以上または下限以下となると比較器ＣＰ１１、ＣＰ１２のいずれか一方から「０」が出力される。
【００５５】
そして、比較器ＣＰ１１の出力と比較器ＣＰ１２の出力とは、いわゆるワイヤードオアの状態で接続され、それが走査パルス電圧監視回路５３０の出力として出力される。したがって、走査パルス電圧監視回路５３０からは、比較器ＣＰ１１、ＣＰ１２のいずれの出力も「１」の時にのみ正常状態を表す「１」が出力され、いずれかの出力が「０」になれば異常を表す「０」が出力される。
【００５６】
このとき、負の電圧Ｖａの設定範囲、すなわち上限と下限とをあらかじめ定めておき、その上限と下限とから監視電圧Ｖｋの上限と下限とを算出する。そして、その下限がＶｔｈ１となるようにツェナーダイオードＤ１１を選択し、その上限がＶｔｈ２となるように抵抗Ｒ１３、抵抗Ｒ１４を選択する。本実施の形態では以上の構成により、負の電圧Ｖａがあらかじめ定められた設定範囲にあるかどうかの監視を行う。なお、ここで用いる電圧Ｖｎにはどのような電圧を用いてもかまわないが、本実施の形態では、母電圧Ｖｍｏを用いた構成としている。
【００５７】
母電圧監視回路５４０は、抵抗Ｒ２１、Ｒ２２、Ｒ２３と、ツェナーダイオードＤ２１と、トランジスタＱ１とを備える。抵抗Ｒ２１と抵抗Ｒ２２とツェナーダイオードＤ２１とは負の電圧Ｖａと母電圧Ｖｍｏとの間に、負の電圧Ｖａに抵抗Ｒ２２が、電圧ＶｍｏにツェナーダイオードＤ１１のカソードがそれぞれ接続され、かつ抵抗Ｒ２２とツェナーダイオードＤ２１との間に抵抗Ｒ２１を挟んで直列となるように接続される。また、トランジスタＱ１は、ベースが抵抗Ｒ２１と抵抗Ｒ２２との間に、エミッタが負の電圧Ｖａに、コレクタが抵抗Ｒ２３を介して監視電圧Ｖｋにそれぞれ接続されている。
【００５８】
このとき、母電圧Ｖｍｏがあらかじめ定めた上限よりも低ければトランジスタＱ１は動作せず、母電圧Ｖｍｏがあらかじめ定めた上限以上になったときにトランジスタＱ１がスイッチング動作するように、ツェナーダイオードＤ２１、抵抗Ｒ２１、抵抗Ｒ２２を選択する。そして、母電圧Ｖｍｏがあらかじめ定めた上限以上になってトランジスタＱ１がスイッチング動作すると、監視電圧Ｖｋの電圧は、負の電圧Ｖａを、抵抗Ｒ１２および抵抗Ｒ２３の合成抵抗と抵抗Ｒ１１とで抵抗分割した電圧となり、それまでの電圧から低下する。そして、このときの監視電圧Ｖｋの電圧がＶｔｈ１を下回るように抵抗Ｒ２３を選択しておく。これにより、母電圧Ｖｍｏがあらかじめ定めた上限以上になった場合には、走査パルス電圧監視回路５３０からは電圧異常を表す「０」が出力される。
【００５９】
以上説明したとおり、本実施の形態では、上述した構成により、走査パルス電圧監視回路５３０において負の電圧Ｖａがあらかじめ定められた設定範囲にあるかどうかの監視を行うとともに、母電圧Ｖｍｏがあらかじめ定めた設定範囲を超えたときには走査パルス電圧監視回路５３０における監視電圧Ｖｋを強制的にＶｔｈ１よりも低い電圧に引き下げることで、走査パルス電圧監視回路５３０から異常を表す「０」を出力させる。そして、このような構成とすることで、比較器を用いることなく母電圧Ｖｍｏの監視を行うことが可能となり、これにより電圧監視回路を削減することができる。
【００６０】
なお、本実施の形態では、走査パルス電圧監視回路５３０を用いて、母電圧Ｖｍｏを監視する構成を説明したが、何らこの構成に限定するものではなく、例えば正の電圧である電圧Ｖｓを監視する電圧監視回路を用いて母電圧Ｖｍｏを監視する構成とすることも可能である。このような構成では、母電圧Ｖｍｏがあらかじめ定めた設定範囲を超えたときには、例えばこの電圧監視回路内部で使用されている監視電圧を強制的に０（Ｖ）付近まで引き下げるような回路構成にすることで上述と同様の効果を得ることができる。
【００６１】
なお、本実施の形態では、放電ガスのキセノン分圧を１０％としたが、他のキセノン分圧であってもそのパネルに応じた駆動電圧に設定すればよい。
【００６２】
また、本実施の形態において用いた具体的な各数値は、単に一例を挙げたに過ぎず、パネルの特性やプラズマディスプレイ装置の仕様等に合わせて、適宜最適な値に設定することが望ましい。
【産業上の利用可能性】
【００６３】
本発明のプラズマディスプレイ装置は、電源電圧の異常を監視する回路を素子数を削減して構成することができ、プラズマディスプレイ装置として有用である。
【図面の簡単な説明】
【００６４】
【図１】本発明の実施の形態１におけるパネルの構造を示す分解斜視図
【図２】同パネルの電極配列図
【図３】本発明の実施の形態１におけるプラズマディスプレイ装置の回路ブロック図
【図４】本発明の実施の形態１におけるパネルの各電極に印加する駆動電圧波形図
【図５】本発明の実施の形態１におけるサブフィールド構成を示す図
【図６】本発明の実施の形態１における走査電極駆動回路の回路図
【図７】本発明の実施の形態１におけるデータ電極駆動回路の回路図
【図８】本発明の実施の形態１における電圧監視回路の回路図
【符号の説明】
【００６５】
１    プラズマディスプレイ装置
１０    パネル
２１    （ガラス製の）前面板
２２    走査電極
２３    維持電極
２４，３３    誘電体層
２５    保護層
２８    表示電極対
３１    背面板
３２    データ電極
３４    隔壁
３５    蛍光体層
５１    画像信号処理回路
５２    データ電極駆動回路
５３    走査電極駆動回路
５４    維持電極駆動回路
５５    タイミング発生回路
１００，２００    維持パルス発生回路
１１０    電力回収回路
３００    初期化波形発生回路
３１０，３２０    ミラー積分回路
４００    走査パルス発生回路
４０１    制御回路
５００    電源回路
５１０    ＡＣ／ＤＣコンバータ
５１１，５１２，５１３，５１４，５１５，５１６    ＤＣ／ＤＣコンバータ
５２０    電圧監視回路
５３０    走査パルス電圧監視回路
５４０    母電圧監視回路
ＳＷ１，ＳＷ２，Ｓ３１，Ｓ３２，Ｑ１Ｄ１〜Ｑ１Ｄｍ，Ｑ２Ｄ１〜Ｑ２Ｄｍ    スイッチング素子
ＦＥＴ１，ＦＥＴ２    ＦＥＴ
Ｃ１，Ｃ２    コンデンサ
Ｒ１，Ｒ２，Ｒ１１，Ｒ１２，Ｒ１３，Ｒ１４，Ｒ２１，Ｒ２２，Ｒ２３    抵抗
ＩＮ１，ＩＮ２    入力端子
ＣＰ１１，ＣＰ１２    比較器
Ｄ１１，Ｄ２１    ツェナーダイオード
Ｑ１    トランジスタ
【図１】
2007233224.tif 000003
【図２】
2007233224.tif 000004
【図３】
2007233224.tif 000005
【図４】
2007233224.tif 000006
【図５】
2007233224.tif 000007
【図６】
2007233224.tif 000008
【図７】
2007233224.tif 000009
【図８】
2007233224.tif 000010